(57)【特許請求の範囲】
【請求項１】
複数の行及び複数の列を有するマトリクスを有する表示装置であって、
前記複数の列の各々が：
複数の発光素子と、
複数の第１の電流変調器であり、各々が、前記複数の発光素子の１つへ結合され、且つ、該列の当該複数の第１の電流変調器に共通の回路ノードから、前記結合された発光素子のためのプログラム可能な大きさの供給電流を取り出すように構成され、前記発光素子の明度は前記供給電流に対応する、複数の第１の電流変調器と、
前記発光素子の所望の明度を表すビデオデータによって制御され、前記回路ノードに結合された前記複数の発光素子のうちの少なくとも１つの所望の明度を表す大きさを有する第１の電流を、前記回路ノードへ供給するように構成された電流源と
を有し、
前記回路ノードは、前記回路ノードに供給される電流が、前記複数の第１の電流変調器のうちの１つ以上によって前記回路ノードから取り出される電流に等しいときに、特定の電圧レベルを有し、
当該表示装置は更に：
前記回路ノードへ第２の電流を供給するように構成された第２の電流変調器と、
前記回路ノードへ接続された入力と、常に前記特定の電圧レベルに保持された基準端子へ接続された入力とを有する第１の比較器であり、該比較器の出力が前記第２の電流変調器の制御入力へスイッチによって選択的に接続されて、前記回路ノードに前記特定の電圧レベルを生じさせるように、前記第２の電流変調器から前記回路ノードへ供給される前記第２の電流が制御される、第１の比較器と、
を有する、表示装置。
【請求項２】
前記スイッチが開かれるときに前記制御入力を一定電圧に保つために、前記制御入力に蓄積コンデンサが接続されている、請求項１記載の表示装置。
【請求項３】
前記第１の比較器は、前記回路ノードへ接続された反転入力と、前記基準端子へ接続された非反転入力とを有する演算増幅器である、請求項１又は２記載の表示装置。
【請求項４】
前記回路ノードへ接続された入力と、前記基準端子へ接続された入力とを有する第２の比較器と、
複数のスイッチであり、各々が、前記第１の電流変調器のうちの１つの制御入力へ前記第２の比較器の出力を選択的に接続する、複数のスイッチと、
を更に有する請求項１乃至３のうちいずれか一項記載の表示装置。
【請求項５】
複数の行及び複数の列を有するマトリクスを有する表示装置を動作させる方法であって、
前記複数の列の各々は：
複数の発光素子と、
複数の第１の電流変調器であり、各々が、前記複数の発光素子の１つへ結合され、且つ、該列の当該複数の第１の電流変調器に共通の回路ノードから、前記結合された発光素子のためのプログラム可能な大きさの供給電流を取り出すように構成され、前記発光素子の明度は前記供給電流に対応する、複数の第１の電流変調器と、
前記発光素子の所望の明度を表すビデオデータによって制御される電流源であり、前記回路ノードへ第１の電流を供給するように構成された電流源と、
前記回路ノードへ第２の電流を供給するように構成された第２の電流変調器と
を有し、
前記回路ノードは、前記回路ノードに供給される電流が、前記複数の第１の電流変調器のうちの１つ以上によって前記回路ノードから取り出される電流に等しいときに、特定の電圧レベルを有し、
当該方法は：
ａ）  前記電流源から前記回路ノードへ前記複数の発光素子のうちの少なくとも第１の１つの所望の明度を表す第１の電流を供給するステップと、
ｂ）  前記複数の発光素子のうちの前記少なくとも第１の１つへ結合された前記第１の電流変調器をプログラミングして、前記回路ノードから前記第１の電流を取り出し、それにより前記回路ノードに前記特定の電圧レベルを生じさせるステップと、
ｃ）  前記電流源から前記第１の電流を供給することを中止するステップと、
ｄ）  前記ｃ）のステップの後に、前記回路ノードの電圧レベルの前記特定の電圧レベルとの比較に基づき、前記回路ノードに前記特定の電圧レベルを生じさせるよう、前記第２の電流変調器から前記回路ノードへ供給される前記第２の電流を制御するステップと
を有する、方法。
【請求項６】
前記ステップａ）からｄ）は、前記複数の発光素子のうちの少なくとも第２の１つの発光素子に関して繰り返され、
前記ステップａ）及びｂ）を繰り返している間、前記第２の電流の大きさは、前のステップｄ）で設定された値に保たれる、請求項５記載の方法。
【請求項７】
前記ステップａ）からｄ）は、前記複数の発光素子のうちの前記少なくとも第１の１つに関して繰り返され、
前記ステップａ）からｄ）が繰り返される前、前記発光素子のうちの前記少なくとも第１の１つへ結合された前記第１の電流変調器は、前記回路ノードから電流を取り出さないようプログラミングされる、請求項５又は６記載の方法。
【発明の詳細な説明】
【技術分野】
【０００１】
本発明は、行及び列を有するマトリクスに配置された複数の発光素子を有する映像表示装置と、そのような表示装置を動作させる方法とに関する。
【背景技術】
【０００２】
このような形式の表示装置は、その発光素子の夫々の明度を制御するためのドライバ回路を必要とする。パッシブマトリクス技術では、１つのドライバ回路は、複数の発光素子へ結合されており、それらに、時分割方式に従って、即ち、所定の時点で、動作電流パルスを供給する。所与のドライバ回路へ結合された発光素子の１つだけが、ドライバ回路から動作電流を受け取って、光を放射する。一方、残りの発光素子は、電流を受け取らず、暗状態のままである。パッシブマトリクス技術は、簡単且つ安価な回路を有するが、表示装置の適度な全体明度を達成するために、個々の発光素子へ供給されるパルスの強さは高くなければならず、これにより、発光素子の早期のエージング及び表示装置の低い信頼性といった問題が引き起こされる。
【０００３】
アクティブマトリクス技術では、夫々の発光素子は、その発光素子へ結合された電流変調器を有する。電流変調器は、それが結合された発光素子に連続的な動作電流を供給するようプログラム可能である。供給される動作電流の強さは、新しい画像が表示されるべき場合に更新される。
【０００４】
ＥＰ１６２２１２０Ａ１は、このような形式の表示装置を開示する。この表示装置の発光素子の夫々は、第１の電流変調器を有する。第１の電流変調器は、発光素子へ結合され、マトリクス列の夫々へ結合された回路ノードから、結合された発光素子のために、プログラム可能な強さの供給電流を取り出す。更に、夫々の列は、その列へ結合された電流源を有する。電流源は、その列の発光素子の所望の明度を表すビデオデータによって制御され、前出の回路ノードへ第１の電流を供給する。第１の電流の強さは、その列の全ての発光素子の総体的な所望の明度を表す。即ち、電流源からの第１の電流は、電流源によって受け取られたビデオデータによって決定される夫々の発光素子の目的とする明度に比例して、列の発光素子へ分配され、供給される。
【０００５】
例えばＴＶ画像などの可変な画像を表示する場合に、発光素子の明度は、素子ごとに、連続して更新されるべきである。簡単に述べると、１つの素子の明度は、その１つの素子の更新された明度及び残りの素子の現在の明度の合計に比例する第１の電流を前出の回路ノードへ出力する電流源を有することによって、及び、素子が第１の電流のその部分を回路ノードから取り込むように、更新されるべき素子へ結合された第１の電流変調器をプログラミングすることによって、更新されると言える。第１の電流は、残り全ての素子の第１の電流変調器によっては取り込まれない。明らかなように、このような動作方式のために、電流源は、ｎが列に存在する発光素子の数であって、ｍが、これらの素子が表示することができる明度レベルの数であるならば、ｎ×ｍの分解能で第１の電流強さを制御することができなければならない。実施例として、ｎがＴＶ画像では標準的な約１０００の数を有し、ｍが例えば２５６である場合に、必要とされる分解能は約２５６，０００である。このような分解能は、電流源に精巧且つ高価な回路を必要とする。
【特許文献１】ＥＰ１６２２１２０Ａ１
【発明の開示】
【発明が解決しようとする課題】
【０００６】
本発明は、簡単且つ安価な回路が使用可能であるように、電源の必要とされる分解能が著しく低減された映像表示装置を提供することを目的とする。
【課題を解決するための手段】
【０００７】
上記目的は、行及び列を有するマトリクスに配置された複数の発光素子と、前記発光素子の１つへ夫々結合され、前記列の夫々へ結合された回路ノードから前記結合された発光素子のためのプログラム可能な強さの供給電流を取り出す複数の第１の電流変調器と、前記発光素子の所望の明度を表すビデオデータによって制御され、前記回路ノードへ、前記発光素子の少なくとも１つの所望の明度を表す強さを有する第１の電流を供給する電流源とを有し、前記回路ノードは、前記電流源によって供給される前記強さが前記少なくとも１つの発光素子へ結合された前記第１の電流変調器によって前記回路ノードから取り出される場合に、特定の電圧レベルを有する、映像表示装置であって、前記回路ノードへ第２の電流を供給する第２の電流変調器と、前記回路ノードへ接続された入力部、常に前記特定の電圧レベルに保持された基準端子へ接続された入力部、並びに、前記第２の電流変調器の制御入力部へ接続された出力部を有する比較器とを有し、前記第２の電流変調器からの前記第２の電流は、前記回路ノードで前記特定の電圧レベルを得るように制御される、ことを特徴とする映像表示装置によって達成される。
【０００８】
前記電流源からの前記第１の電流により前記少なくとも１つの発光素子をプログラミングした後、前記電流源は、前記回路ノードでの電圧を一時的に前記特定の電圧レベルから逸脱させるよう、オフに切り換えられても良い。その場合に、前記比較器は、前記特定の電圧レベルが回復するように前記第２の電流変調器を制御し、これによって、前記電流源によって予め出力されている前記第１の電流は、前記第２の変調器からの同じ強さの電流によって置き換えられる。次に、前記電流源は、同じ発光素子の少なくとも他の１つの発光素子の所望の明度を表す第１の電流を供給するよう、再び利用可能になる。
【０００９】
望ましくは、所与の時点での前記電流源からの前記第１の電流の強さは、ただ１つの発光素子の所望の明度を表す。その場合に、前記電流源の必要とされる分解能は、明度レベルの数ｍまで減少する。
【００１０】
望ましくは、当該表示装置の前記比較器は、スイッチによって前記第２の電流変調器の制御入力部へ接続される出力部を有し、蓄積コンデンサは、前記スイッチが開かれる場合に前記制御入力部を一定電圧に保つために前記制御入力部へ接続される。これにより、前記第２の電流変調器によって前記回路ノードへ供給される前記第２の電流は、スイッチが開かれようとも一定となる。
【００１１】
望ましくは、前記比較器は、前記回路ノードへ接続された反転入力部と、前記基準端子へ接続された非反転入力部とを有する演算増幅器である。
【００１２】
更に、前記回路ノードへ接続された入力部、及び前記基準端子へ接続された入力部を有する第２の比較器と、前記第１の電流変調器の中の１つの第１の電流変調器の制御入力部へ前記第２の比較器の出力部を選択的に接続する複数のスイッチとが設けられても良い。
【００１３】
また、上記目的は、行及び列を有するマトリクスに配置された複数の発光素子と、前記発光素子の１つへ夫々結合され、前記列の夫々へ結合された回路ノードから前記結合された発光素子のためのプログラム可能な強さの供給電流を取り出す複数の第１の電流変調器と、前記発光素子の所望の明度を表すビデオデータによって制御される電流源と、前記回路ノードへ第２の電流を供給する第２の電流変調器とを有する表示装置を動作させる方法であって、
ａ）  前記電流源から前記回路ノードへ前記発光素子のうちの少なくとも第１の発光素子の所望の明度を表す第１の電流を供給するステップと、
ｂ）  前記回路ノードが特定の電圧レベルに達するように、前記発光素子のうちの前記少なくとも第１の発光素子へ結合された前記第１の電流変調器をプログラミングして、前記回路ノードから前記第１の電流を取り出すステップと、
ｃ）  前記電流源から前記第１の電流を供給することを中止するステップと、
ｄ）  前記回路ノードで前記特定の電圧レベルを回復するように前記第２の電流の強さを制御するステップと、
を有する方法によって達成される。
【００１４】
望ましくは、この方法は、前記発光素子のうちの少なくとも第２の発光素子に関して繰り返される。その場合に、望ましくは、前記ステップａ）及びｂ）を繰り返している間に、前記第２の電流の強さは、前のステップｄ）で設定された値に保たれる。その場合に、ステップｄ）が繰り返された場合に、前記第１及び第２の発光素子の前記第１の電流変調器は、両方とも、それらの発光素子の所望の明度のために適切な強さの電流を前記回路ノードから受け取ることができる。これにより、当該方法は、前記発光素子のうちの第３の発光素子に関して繰り返され、その後も、その列の全ての発光素子がそれらの夫々の所望の強さで動作するまで、同様に繰り返され得る。
【００１５】
例えばＴＶ画像などの可変な画像を表示する場合に、前記ステップａ）からｄ）は、また、前記発光素子のうちの少なくとも１つに関して繰り返される。前記ステップａ）からｄ）が繰り返される前に、前記発光素子のうちの前記少なくとも１つへ結合された前記第１の電流変調器は、その明度の好ましくないドリフトを回避するために、望ましくは、前記回路ノードから電流を取り出さないようプログラミングされるべきである。
【発明の効果】
【００１６】
本発明により、簡単且つ安価な回路が使用可能であるように、電源の必要とされる分解能が著しく低減された映像表示装置を提供することが可能となる。
【発明を実施するための最良の形態】
【００１７】
添付の図面に関する本発明の実施例の以下の記載から、本発明は更に容易に理解され、更なる特徴及び利点が明らかとなるであろう。
【００１８】
本発明の表示装置は、ｎ行及びｌ列のマトリクスで基板上に配置された、例えばＯＬＥＤ（有機発光素子）などの、多数（ｎ×ｌ個）の発光素子を有する。列は設計及び動作に関して同一であるので、図１はそれらの列の１つのみを表す。列は、割り当てられた電流変調器２−１，２−２，．．．，２−ｎへ直列に接続されたＯＬＥＤ１−１，１−２，．．．，１−ｎを有する。ＯＬＥＤ及び電流変調器は、回路ノード３と、負の供給電位Ｖ−との間に並列に接続されている。
【００１９】
電流変調器２−１，２−２，．．．，２−ｎは、夫々、一方は回路ノード３へ、他方はＯＬＥＤ１−１，１−２，．．．，１−ｎへ接続されている２つの電流電極と、スイッチ４−１，４−２，．．．，４−ｎ及び蓄積コンデンサ５−１，５−２，．．．，５−ｎの夫々の第１の側へ接続された制御電極とを有するＦＥＴによって形成され得る。なお、蓄積コンデンサは、その第２の側を接地へ接続されているが、それらは、同様に、前出の負の供給電圧Ｖ−へ、正の供給電圧Ｖ＋へ、又は、如何なる他の適切な一定電位へ接続されても良い。スイッチ４−１，４−２，．．．，４−ｎは、その第２の側を演算増幅器６の出力部へ接続されている。演算増幅器６の非反転入力部は回路ノード３へ接続され、その反転入力部は接地へ接続されている。
【００２０】
演算増幅器７は、接地へ接続された非反転入力部と、回路ノードへ接続された反転入力部と、スイッチ８の第１の側へ接続された出力部とを有する。スイッチ８の第２の側は、蓄積コンデンサ９へ、及び電流変調器１０の制御端子へ接続されている。電流変調器１０は、電流変調器２−１，２−２，．．．，２−ｎと同じ形式から成っても良い。電流変調器１０は、その電流端子を正の供給電圧Ｖ＋へ、及び回路ノード３へ接続されている。
【００２１】
例となる電流源１１は、制御ブロック１２と、トランジスタ１３と、抵抗１４とを有する。トランジスタ１３及び抵抗１４は、正の供給電圧Ｖ＋と回路ノード３との間に直列に接続されている。制御ブロック１２は、ＯＬＥＤ１−１，１−２，．．．，１−ｎの所望の明度を表すデジタルデータを受け取る入力部１５と、抵抗１４の両端の電圧降下を検出する入力部１６と、トランジスタ１３の制御電極へ接続された出力部とを有する。トランジスタ１３はバイポーラ又はＭＯＳ−ＦＥＴトランジスタであっても良い。
【００２２】
図１の回路の動作を説明するために、表示装置はまさに動作を開始しており、最初に、全ての電流変調器２−１，２−２，．．．，２−ｎ及び１０並びに電流源１１は、全てのＯＬＥＤが暗状態となるように、遮断状態にあるとする。更に、便宜上、入力部１５で受け取られる第１のデジタル明度は、ＯＬＥＤ１−１に対応する値Ｄ１であるとする。図２及び３を参照する。図２及び３は、電流源１１の出力電流ＩＤＡＴＡ及び電流変調器１０のＩ１０の波形を表す。
【００２３】
制御ブロック１２は、スイッチ４−１を閉じて、トランジスタ１３を導通させることによって、入力されている明度Ｄ１に反応するので、（図２の）時間ｔ１ｃでは、正の電流ＩＤＡＴＡが、電流源１１から回路ノード３へ流れ始める。従って、回路ノード３の電位は正となる。これにより、演算増幅器６は、蓄積コンデンサ５−１を充電する正の電圧を出力し、電流変調器２−１は、導通して、電流が抵抗１４及び回路ノード３を連続的に流れることを可能にする。制御ブロック１２は、入力部１６で検出される電圧降下が入力明度Ｄ１に対して所定の相対関係となるまで、引き続き、トランジスタ１３の制御電極へ印加する電圧を適応させる。所定の相対関係とは、所望の明度Ｄ１を発生させるための必要な強さを有する電流ＩＤＡＴＡ＝ＩＤ１＝ｃ×Ｄ１が、電流源１１から電流変調器２−１及びＯＬＥＤ１−１を通って流れていることを示す。
【００２４】
これが起こる場合に、回路ノード３は最初に正の電位を有することができると考えられる。この正の電位により、演算増幅器６は、蓄積コンデンサ２−１を充電し続けて、電流変調器２−１の制御電極での電位を徐々に増大させ、その導通率を高めることができる。制御ブロック１２は、回路ノード３を流れる電流がＩＤ１で一定に保たれるように、トランジスタ１３へ印加される制御電圧を引き続き調整する。間もなく、定常状態が達成され、回路ノード３は接地電位を有することとなる。この状態で、制御ブロック１２はスイッチ４−１を再び開く。
【００２５】
時間ｔ１ｄにおける次のステップで、制御ブロック１２は、電流源１１が非導通となるようにトランジスタ１３を遮断し、スイッチ８を閉じる。電流変調器２−１は導通状態のままであるので、回路ノード３の電位は減少する。これにより、演算増幅器７は、蓄積コンデンサ９及び電流変調器１０の制御電極へ正の電流を出力することができる。先と同じく、定常状態は、回路ノード３が接地電位へ戻されると直ぐに達成される。これが起こる場合に、ＯＬＥＤ１−１を流れる電流は厳密にＩＤ１に等しいが、電流はこれ以上電流源１１によっては供給されず、電流変調器１０によって供給される。
【００２６】
時間ｔ２ａからｔ２ｃまでのその後のステップで、制御ブロック１２は、リセット手順を実行する。これについては、より良い理解のために、後に説明する。
【００２７】
時間ｔ２ｃまでに、制御ブロック１２は、ＯＬＥＤ１−２の所望の明度Ｄ２を指示する第２のデジタルデータを受け取っている。ｔ２ｃで、制御ブロック１２は、スイッチ４−２を閉じ、前出の所望の明度Ｄ２に対応する電流ＩＤＡＴＡ＝ＩＤ２を電流源１１に流させるように制御トランジスタ１３を制御し始める。再び、回路ノード３の電位は僅かに正となり、これにより、この時間に、増幅器６は、コンデンサ５−２を充電し、電流変調器２−２を導通させることができる。定常状態が達成され、回路ノード３は接地電位を有することとなる。電流源１１からの電流ＩＤＡＴＡ＝ＩＤ２はＯＬＥＤ２−２によって取り込まれ、一方、電流変調器１０からの電流Ｉ１０はＯＬＥＤ１−１を流れる。次に、制御ブロック１２はスイッチ４−２を開き、時間ｔ２ｄで、制御ブロック１２は、再び、トラジスタ１３を遮断し、スイッチ８を閉じる。回路ノード３での電位の減少により、増幅器７は、電流変調器１０からの電流Ｉ１０がＩＤ１＋ＩＤ２に等しくなるまで、コンデンサ９を充電し続ける。
【００２８】
手順は、列の残り全てのＯＬＥＤに関して繰り返され、夫々の繰り返しの終わりに、電流変調器１０からの電流は、ＯＬＥＤの夫々に関して、所望の強さＩＤｉ（ｉ＝３，．．．，ｎ）だけ増大して、最終的にＩΣ＝ＩＤ１＋ＩＤ２＋．．．＋ＩＤｎに達する。この段階で、画像全体が表示装置に現れる。
【００２９】
制御ブロック１２によって受け取られる次のデジタルデータは、その後のピクチャにおいてＯＬＥＤ１−１の所望の明度Ｄ１′を指示するデータである。ＯＬＥＤ１−１の明度をこの新しい値に適合させるために、時間ｔ１ａ′（図３参照）で、制御ブロック１２は、スイッチ４−１を閉じることによってリセット手順を開始し、これによって、蓄積コンデンサ５−１は放電され、電流変調器２−１は非導通状態となる。次に、スイッチ４−１は再び開かれる。回路ノード３での電位は、僅かに正となる。時間ｔ１ｂ′でスイッチ８を閉じることによって、電流変調器１０はこの新しい状態に適応させられ、その電流はＩΣ−ＩＤ１まで減少する。ＯＬＥＤ１−１をリセットするこの手順は、制御ブロック１２が、図２に関して先に記載されたのと同じように、このＯＬＥＤの新しい明度Ｄ１′を設定することを可能にする。即ち、時間ｔ１ｃ′で、これにより、電流源１１は、ＩＤＡＴＡ＝ＩＤ１′を出力し、スイッチ４−１を閉じることができるので、電流変調器２−１は、回路ノード３が接地電位にある場合に、回路ノード３から電流ＩＤ１′を正確に取り出すことができる。スイッチ４−２は再び開かれ、ｔ１ｄ′で、変調器１０によって供給される電流Ｉ１０はＩΣ−ＩＤ１＋ＩＤ１′まで増大するように、電流源１１は遮断し、スイッチ８は閉じられる。手順は、他の全てのＯＬＥＤ１−２，．．．１−ｎに関して同様の方法で続けられる。
【００３０】
制御ブロック１２は、ＯＬＥＤの明度を１つずつプログラミングするために使用されるので、電流源１１の分解能は、列にあるＯＬＥＤの数には無関係に、制御ブロック１２によって受け取られる単一の明度データの分解能よりも高い必要はない。
【００３１】
ＥＰ１６２１２０Ａ１の記載を参照すると、当業者には明らかなように、図１の回路の動作手順は、以下のように変更され得る。最初に、制御ブロック１２は、前出の先行技術文献に記載されるように、例えばＯＬＥＤ１−１、１−２といった、少数のＯＬＥＤの明度を連続的にプログラミングする。このプログラミングの終わりに、電流源１１によって出力される電流ＩＤＡＴＡは、ＩＤ１、ＩＤ２がＯＬＥＤ１−１、１−２の所望の明度Ｄ１、Ｄ２に対応する電流強さであるとするならば、ＩＤ１＋ＩＤ２に達する。次に、制御ブロック１２は、図２又は３に関して先に記載されたように、電流源１１を非導通状態にし、更に、電流源１１によって予め供給された電流ＩＤ１＋ＩＤ２が電流変調器１０へ「コピー」されるように、スイッチ８を閉じる。明らかなように、完全な画像の構成に必要とされるコピーステップの数は、２つのコピーステップの間で連続的にプログラミングされるＯＬＥＤの数が大きくなればなるほど小さくなる。他方で、電流源１１の必要とされる分解能は、連続的にプログラミングされるＯＬＥＤの数に比例して増大する。
【００３２】
他の実施例に従って、画像構成速度は、電流変調器２をプログラミングする前にそれらをリセットしないことによって増大しうる。表示装置がまさに作動しており、第１の画像が形成される場合に、リセットステップは必要とされないことは、容易に理解される。第２の画像を形成する場合に、例えばＯＬＥＤ１−１の明度は、電流源１１に電流ＩＤＡＴＡ＝ＩＤ１′−ＩＤ１′を出力させることによってプログラミングされる。ここで、ＩＤ１′は、第２の画像においてＯＬＥ１−１の所望のＤ１′に対応する電流強さである。この実施例で、ＩＤＡＴＡは負である場合があるので、電流源１１は、例えば、トランジスタ１３とＶ−との間に直列に接続され、制御ブロック１２によって制御される第２のトランジスタ（図示せず。）を用いて、負の電流を発生させるよう構成されるべきである。
【００３３】
この実施例で、不正確なＩＤＡＴＡにより、ＯＬＥＤの明度はドリフトすることがある。このようなドリフトを制限するために、夫々のＯＬＥＤが、所定の回数リセットされることなく再プログラミングされる場合に、夫々のＯＬＥＤへリセットを適用することが考えられる。
【図面の簡単な説明】
【００３４】
【図１】本発明の実施例に従う表示装置の例となる一部の回路図である。
【図２】第１の表示画像を構成中の図１の表示装置における電流を表す波形である。
【図３】次の画像の構成中の電流を表す波形である。
【符号の説明】
【００３５】
１−１，１−２，．．．，１−ｎ  発光素子（ＯＬＥＤ）
２−１，２−２，．．．，２−ｎ  電流変調器
３    回路ノード
４−１，４−２，．．．，４−ｎ  スイッチ
５−１，５−２，．．．，５−ｎ  蓄積コンデンサ
６，７  演算増幅器
８    スイッチ
９    蓄積コンデンサ
１０  電流変調器
１１  電流源
Ｖ−，Ｖ＋  供給電位
【図１】
0005638733.tif 000002
【図２】
0005638733.tif 000003
【図３】
0005638733.tif 000004